(57)【要約】      （修正有）【課題】拘束ベルトのタイプに対応し易いバックル装置を提供する。【解決手段】バックル本体2と２つの第１ラッチ手段3とを含むバックルモジュールにおいて、バックル本体は、上方に開放した２つの開口26を有し、第１ラッチ手段が挿入される空洞部と、空洞部に設置されたストッパーと、弾性押しアーム232とを備えている。第１ラッチ手段は、自由端を有する弾性ラッチ片32を備え、弾性押しアーム232は、各ラッチ片32の位置と対応する２つの作動部238を設けている。２つの第２ラッチ手段をさらに有し、各第１ラッチ手段3は、第１接合部332を有し、各第２ラッチ手段は、第１接合部と着脱可能に係合される第２接合部を有する。【選択図】図２
2010179103.tif 000002
【特許請求の範囲】
【請求項１】
バックル本体と２つの第１ラッチ手段とを含むバックルモジュールにおいて、
前記バックル本体は、上方に開放した２つの開口を有し、前記第１ラッチ手段が前記開口を経て挿入される空洞部と、前記空洞部に設置された係合部と、弾性押しアームとを備え、
前記第１ラッチ手段は、自由端を有する弾性ラッチ片を備え、
前記第１ラッチ手段が対応する前記開口を経て前記空洞部に挿入されたとき、前記各弾性ラッチ片が対応する前記係合部によってバイアスして押し付けられ、且つ前記各第１ラッチ手段が前記バックル本体に結合されたとき、前記各弾性ラッチ片の自由端が対応する前記係合部と係合され、前記弾性押しアームに、前記各第１ラッチ手段の弾性ラッチ片の位置と対応する２つの作動部を設け、前記弾性押しアームが押圧されたとき、前記各作動部が前記各弾性ラッチ片をバイアスして押し付け、対応する前記係合部との係合位置から離れることを特徴とするバックルモジュール。
【請求項２】
前記バックル本体は、第１ハウジングと、前記第１ハウジングに組み合わせる第２ハウジングと、ロック解除手段とを備え、
前記ロック解除手段は、前記第１ハウジングと前記第２ハウジングとの間に配置され、前記弾性押しアームは、前記ロック解除手段に設けられ、また、前記第１ハウジングと前記第２ハウジングと前記ロック解除手段とにより、前記開口を通じて外部に連通する前記空洞部を画成することを特徴とする請求項１に記載のバックルモジュール。
【請求項３】
２つの第２ラッチ手段をさらに有し、
前記各第１ラッチ手段は、第１接合部を有し、
前記各第２ラッチ手段は、前記第１接合部と着脱可能に係合される第２接合部を有するように構成されていることを特徴とする請求項２に記載のバックルモジュール。
【請求項４】
前記第１接合部は、係止溝又は係止ブロックであり、
前記第２接合部は、前記第１接合部に対応する係止ブロック又は係止溝であることを特徴とする請求項３に記載のバックルモジュール。
【請求項５】
前記第１接合部は、サイド開口を画成する係止溝を有し、
前記第２接合部は、前記サイド開口を経て前記係止溝に嵌合される係止ブロックであり、
前記各第２ラッチ手段は、前記各第１ラッチ手段と前記バックル本体に結合されたとき、前記各第２ラッチ手段同士が対向して接触する端面を有し、前記各第２ラッチ手段が前記各第１ラッチ手段から外れることを防ぐことができることを特徴とする請求項３に記載のバックルモジュール。
【請求項６】
前記第１ラッチ手段の第１接合部のサイド開口が上下開放されており、
前記第２ラッチ手段の第２接合部の下面に前記サイド開口を経て前記係止溝に係合される突起が設けられることを特徴とする請求項５に記載のバックルモジュール。
【請求項７】
前記第２接合部は、サイド開口を画成する係止溝を有し、
前記第１接合部は、前記サイド開口を経て前記係止溝に嵌合される係止ブロックであり、
前記各第２ラッチ手段は、前記各第１ラッチ手段と前記バックル本体に結合されたとき、前記各第２ラッチ手段同士が対向して接触する端面を有し、前記各第２ラッチ手段が前記各第１ラッチ手段から外れることを防ぐことができることを特徴とする請求項３に記載のバックルモジュール。
【請求項８】
前記第１ラッチ手段は、前記空洞部に挿入される扁平状挿込体を有し、
前記弾性ラッチ片は、前記挿込体から突き出た自由端を有する舌片部を有し、
前記各第１ラッチ手段が前記バックル本体に結合された時、前記各舌片部の自由端が対応する前記係合部に接触することによって、前記各第１ラッチ手段が前記バックル本体から外れることを防ぐことができることを特徴とする請求項２に記載のバックルモジュール。
【請求項９】
前記各作動部は、前記弾性ラッチ片と対応すると共に縦向きに延伸されたリブが突き出ており、
該リブの頂端が前記弾性ラッチ片に近づくように底端より突き出ることを特徴とする請求項８に記載のバックルモジュール。
【請求項１０】
前記バックル本体は、前記各第１ラッチ部材を対応する開口から弾力的に押し出すことができる弾性部材をさらに備えることを特徴とする請求項２に記載のバックルモジュール。
【請求項１１】
前記弾性部材は、２つの第１面部と、前記各第１面部の一端を折り曲げて延伸させ、対応する第１ラッチ部材の挿込体で押圧されると弾力を生じる２つの第２面部とを有し、
前記バックル本体は、前記空洞部内に設けられ、対応する前記第１面部を保持する２つの定位ブラケットをさらに有することを特徴とする請求項１０に記載のバックルモジュール。
【請求項１２】
前記各定位ブラケットは、前記ロック解除手段に設けられ、
前記ロック解除手段は、対応する前記第１面部が嵌入される前記定位ブラケットの上に形成された２つの定位孔と、互いに間隔をおいて対応する前記定位ブラケットの上に設けられた２つの定位フックとを有し、
前記各定位ブラケットに、前記定位フックに対応する定位突起を設け、
前記各第１面部は、対応する定位突起に係止される第１係止部と、対応する前記定位フックに係止される第２係止部とを有することを特徴とする請求項１１に記載のバックルモジュール。
【請求項１３】
前記バックル本体は、前記各第１ラッチ手段を対応する前記開口から弾力的に押し出すことができる２つの弾性部材をさらに備えることを特徴とする請求項２に記載のバックルモジュール。
【請求項１４】
前記各弾性部材は、１つの第１面部と、該第１面部の一端を折り曲げて延伸させ、前記第１ラッチ部材の挿込体で押圧されると弾力を生じる１つの第２面部とを有し、
前記バックル本体は、前記空洞部内に設けられ、前記第１面部を保持する定位ブラケットを有することを特徴とする請求項１３に記載のバックルモジュール。
【請求項１５】
前記各定位ブラケットは、前記ロック解除手段に設けられ、
前記ロック解除手段は、対応する前記第１面部が嵌入される前記定位ブラケットの上に形成された２つの定位孔と、互いに間隔をおいて対応する前記定位ブラケットの上に設けられた２つの定位フックとを有し、
前記各定位ブラケットに、前記定位フックに対応する定位突起を設け、
前記各第１面部は、対応する定位突起に係止される第１係止部と、対応する前記定位フックに係止される第２係止部とを有することを特徴とする請求項１４に記載のバックルモジュール。
【請求項１６】
バックル本体と２つの第１ラッチ手段と２つの第２ラッチ手段とを含むバックルモジュールであって、
前記バックル本体は、上方に開放した２つの開口を有し、前記第１ラッチ手段が挿入される空洞部と、前記空洞部に設置された係合部と、弾性押しアームとを備え、
前記第１ラッチ手段は、自由端を有する弾性ラッチ片と第１接合部とを有し、前記第１ラッチ手段が対応する開口を経て対応する前記空洞部に挿入されたとき、前記各弾性ラッチ片が対応する前記係合部によってバイアスして押し付けられ、且つ前記各第１ラッチ手段が前記バックル本体に結合されたとき、前記各弾性ラッチ片の自由端が対応する前記係合部と係合され、
前記各第２ラッチ手段は、対応する前記第１ラッチ手段の頂端に接合されており、前記第１接合部に着脱可能に係合される第２接合部を有し、
前記弾性押しアームに、前記各第１ラッチ手段の弾性ラッチ片の位置と対応する２つの作動部を設け、前記弾性押しアームが押圧されたとき、前記各作動部が前記各弾性ラッチ片をバイアスして押し付け、前記各第１ラッチ手段が、対応する前記係合部との係合位置から離れることを特徴とするバックルモジュール。
【請求項１７】
前記第１接合部は、係止溝又は係止ブロックであり、
前記第２接合部は、前記第１接合部に対応する係止ブロック又は係止溝であることを特徴とする請求項１６に記載のバックルモジュール。
【請求項１８】
前記第１接合部は、サイド開口を画成する係止溝を有し、
前記第２接合部は、前記サイド開口を経て前記係止溝に嵌合される係止ブロックであり、
前記各第２ラッチ手段は、前記各第１ラッチ手段と前記バックル本体に結合されたとき、前記各第２ラッチ手段同士が対向して接触する端面を有し、前記各第２ラッチ手段が前記各第１ラッチ手段から外れることを防ぐことができることを特徴とする請求項１６に記載のバックルモジュール。
【請求項１９】
前記第２接合部は、サイド開口を画成する係止溝を有し、
前記第１接合部は、前記サイド開口を経て前記係止溝に嵌合される係止ブロックであり、
前記各第２ラッチ手段は、前記各第１ラッチ手段と前記バックル本体に結合されたとき、前記各第２ラッチ手段同士が対向して接触する端面を有し、前記各第２ラッチ手段が前記各第１ラッチ手段から外れることを防ぐことができることを特徴とする請求項１６に記載のバックルモジュール。
【請求項２０】
バックル本体と２つの第１ラッチ手段と２つの第２ラッチ手段とを含むバックルモジュールであって、
前記バックル本体は、上方に開放した２つの開口を有し、前記第１ラッチ手段が挿入される空洞部を有し、
前記各第１ラッチ手段は、第１接合部を有し、前記各第２ラッチ手段は、前記第１接合部と着脱可能に係合される第２接合部を有し、
前記第１接合部又は前記第２接合部における一方は、サイド開口を画成する係止溝を有し、
前記バックル本体が、２つの第１ラッチ手段及び２つの第２ラッチ手段と結合するとき、前記サイド開口と前記各開口とは異なる方向に開放されることを特徴とするバックルモジュール。
【請求項２１】
前記サイド開口と前記各開口とは、実質上互いに直交するように開放されることを特徴とする請求項２０に記載のバックルモジュール。
【請求項２２】
前記第２接合部又は前記第１接合部の他方は、前記係止溝と嵌合される係止ブロックであり、該係止ブロックは、前記各第１ラッチ手段と、前記各第２ラッチ手段とが前記バックル本体に結合されるとき、該係止ブロック同士が向かい合う端面を有し、前記各第２ラッチ手段が対応する第１ラッチ手段から外れることを防ぐことができることを特徴とする請求項２０に記載のバックルモジュール。
【請求項２３】
前記バックル本体は、円弧形外縁を有し、
前記各第１ラッチ手段は、該円弧形外縁に沿った第１円弧状下縁を有することを特徴とする請求項２０に記載のバックルモジュール。
【請求項２４】
前記各第１ラッチ手段は、円弧状上縁を有し、
前記各第２ラッチ手段は、前記円弧状上縁に沿った第２円弧状下縁を有することを特徴とする請求項２０に記載のバックルモジュール。
【発明の詳細な説明】
【技術分野】
【０００１】
本発明は、バックルモジュールに関し、複数本の拘束ベルトを連結して固定するためのバックルモジュールに関する。
【背景技術】
【０００２】
車両や、ベビーカー、ベビーチェアなどのシートに幼児を安全に着座させるためにチャイルドシートが使用されており、例えば腰ベルトと股ベルトとからなる３点式拘束ベルトや、肩ベルトを更に加えた５点式拘束ベルトを用いたチャイルドシードなどがある（特許文献１参照）。
【先行技術文献】
【特許文献】
【０００３】
【特許文献１】台湾特許出願公開第２００８３１３６２号明細書
【発明の概要】
【発明が解決しようとする課題】
【０００４】
これらのチャイルドシートにおいて、拘束ベルトのタイプによって、ベルトの数に応じたバックルのベルト挿込口の数も異なるため、様々な種類のバックルを用意しなければならず、製造の手間及びコストがかかる問題点がある。
本発明は、上記問題点を解決すべくなされたものであり、拘束ベルトのタイプに対応し易いバックル装置を提供することを目的とする。
【課題を解決するための手段】
【０００５】
上記目的を達成するために、本発明の一観点によれば、本発明は、バックル本体と２つの第１ラッチ手段とを含むバックルモジュールを提供する。前記バックル本体は、上方に開放した２つの開口を有し、前記第１ラッチ手段が前記開口を経て挿入される空洞部と、前記空洞部に設置された係合部と、弾性押しアームとを備えている。前記第１ラッチ手段は、自由端を有する弾性ラッチ片を備え、前記第１ラッチ手段が対応する開口を経て前記空洞部に挿入されたとき、前記各弾性ラッチ片が対応する前記係合部によってバイアスして押し付けられ、且つ前記各第１ラッチ手段が前記バックル本体に結合されたとき、前記各弾性ラッチ片の自由端が対応する前記係合部と係合され、前記弾性押しアームに、前記各第１ラッチ手段の弾性ラッチ片の位置と対応する２つの作動部を設け、前記弾性押しアームが押圧されたとき、前記各作動部が前記各弾性ラッチ片をバイアスして押し付け、対応する前記係合部との係合位置から離れるように構成される。このような構成により、前記バックル本体と前記第１ラッチ手段とを、３点式拘束ベルトを連結するためのバックルモジュールに適用することができる。
【０００６】
前記バックルモジュールにおいて、前記バックル本体は、第１ハウジングと、前記第１ハウジングに組み合わせる第２ハウジングと、ロック解除手段とを備え、前記ロック解除手段は、前記第１ハウジングと前記第２ハウジングとの間に配置され、前記弾性押しアームは、前記ロック解除手段に設けられ、また、前記第１ハウジングと前記第２ハウジングと前記ロック解除手段とにより、前記開口を通じて外部に連通する前記空洞部を画成するように構成される。
【０００７】
前記バックルモジュールにおいて、２つの第２ラッチ手段をさらに有し、前記各第１ラッチ手段は、第１接合部を有し、前記各第２ラッチ手段は、前記第１接合部と着脱可能に係合される第２接合部を有するように構成されてもよい。この構成によれば、５点式拘束ベルトを連結するためのバックルモジュールに適用される。
【０００８】
前記バックルモジュールにおいて、前記第１接合部は、係止溝又は係止ブロックであり、前記第２接合部は、前記第１接合部に対応する係止ブロック又は係止溝であることが好ましい。これによって前記各第２ラッチ手段の前記第２接合部を前記第１ラッチ手段の第１接合部に確実に係合させることができる。
【０００９】
前記バックルモジュールにおいて、前記第１接合部又は前記第２接合部は、サイド開口を画成する係止溝を有し、前記第２接合部又は前記第１接合部は、前記サイド開口を経て前記係止溝に嵌合される係止ブロックであることが好ましい。そして、前記各第２ラッチ手段は、前記各第１ラッチ手段と前記バックル本体に結合されたとき、前記各第２ラッチ手段同士が対向して接触する端面を有し、前記各第２ラッチ手段が前記各第１ラッチ手段から外れることを防ぐことができるように構成される。この構成によれば、前記各第２ラッチ手段を、前記各第１ラッチ手段に確実に係合させることができる。
【００１０】
前記バックルモジュールにおいて、前記第１ラッチ手段は、前記空洞部に挿入される扁平状挿込体を有し、前記弾性ラッチ片は、前記挿込体から突き出た自由端を有する舌片部を有する。前記各第１ラッチ手段が前記バックル本体に結合された時、前記各舌片部の自由端が対応する前記係合部に接触することによって、前記各第１ラッチ手段が前記バックル本体から外れることを防ぐことができるように構成される。この構成によれば、前記各第１ラッチ手段は前記バックル本体に係止され、ロック状態とすることができる。
【００１１】
前記バックルモジュールにおいて、前記各作動部は、前記弾性ラッチ片と対応すると共に縦向きに延伸されたリブが突き出ており、該リブの頂端が前記弾性ラッチ片に近づくように底端より突き出るように構成される。この構成により、ユーザは該弾性押しアームをバイアスするように押し付けると、前記リブによって、前記弾性ラッチ片が押し付けられ、前記係合部から外すことができる。係止の解除をする操作は、前記弾性押しアームを軽く押し付けるだけで行うことができる。
【００１２】
前記バックルモジュールにおいて、前記バックル本体は、前記各第１ラッチ部材を対応する開口から弾力的に押し出すことができる弾性部材をさらに備え、前記弾性部材は、２つの第１面部と、前記各第１面部の一端を折り曲げて延伸させ、対応する第１ラッチ部材の挿込体で押圧されると弾力を生じる２つの第２面部とを有し、前記バックル本体は、前記空洞部内に設けられ、対応する前記第１面部を保持する２つの定位ブラケットをさらに有する構成とする。この構成により、前記弾性部材の第２面部が前記第１ラッチ手段を前記開口側である上向きに弾き出すことによって、前記バックル本体との係止を解除することができる。
【００１３】
前記バックルモジュールにおいて、前記各定位ブラケットは、前記ロック解除手段に設けられ、前記ロック解除手段は、対応する前記第１面部が嵌入される前記定位ブラケットの上に形成された２つの定位孔と、互いに間隔をおいて対応する前記定位ブラケットの上に設けられた２つの定位フックとを有し、前記各定位ブラケットに、前記定位フックに対応する定位突起を設け、前記各第１面部は、対応する定位突起に係止される第１係止部と、対応する前記定位フックに係止される第２係止部とを有する構成とする。この構成により、対応する前記第１面部は、ずれることなく対応する前記定位ブラケットに確実に定位される。
【００１４】
また、前記バックルモジュールにおいて、前記バックル本体は、前記各第１ラッチ手段を対応する前記開口から弾力的に押し出すことができる２つの弾性部材をさらに備えても良い。前記各弾性部材は、１つの第１面部と、該第１面部の一端を折り曲げて延伸させ、前記第１ラッチ部材の挿込体で押圧されると弾力を生じる１つの第２面部とを有し、前記バックル本体は、前記空洞部内に設けられ、前記第１面部を保持する定位ブラケットを有する。
【００１５】
前記バックルモジュールにおいて、前記各定位ブラケットは、前記ロック解除手段に設けられ、前記ロック解除手段は、対応する前記第１面部が嵌入される前記定位ブラケットの上に形成された２つの定位孔と、互いに間隔をおいて対応する前記定位ブラケットの上に設けられた２つの定位フックとを有し、前記各定位ブラケットに、前記定位フックに対応する定位突起を設け、前記各第１面部は、対応する定位突起に係止される第１係止部と、対応する前記定位フックに係止される第２係止部とを有する構成とする。
【００１６】
また、本発明は、バックル本体と２つの第１ラッチ手段と２つの第２ラッチ手段とを含むバックルモジュールを提供してもよい。前記バックル本体は、２つの上方に開放した開口を有し、前記第１ラッチ手段が挿入される空洞部と、前記空洞部に設置された係合部と、弾性押しアームとを備えている。前記第１ラッチ手段は、自由端を有する弾性ラッチ片と第１接合部とを有し、前記第１ラッチ手段が対応する開口を経て対応する前記空洞部に挿入されたとき、前記各弾性ラッチ片が対応する前記係合部によってバイアスして押し付けられ、且つ前記各第１ラッチ手段が前記バックル本体に結合されたとき、前記各弾性ラッチ片の自由端が対応する前記係合部に係合される。前記各第２ラッチ手段は、対応する前記第１ラッチ手段の頂端に接合されており、前記第１接合部と着脱可能に係合される第２接合部を有する。前記弾性押しアームに、前記各第１ラッチ手段の弾性ラッチ片の位置と対応する２つの作動部を設け、前記弾性押しアームが押圧されたとき、前記各作動部が前記各弾性ラッチ片をバイアスして押し付け、前記各第１ラッチ手段が、対応する前記係合部との係合位置から離れるように構成される。
【００１７】
また、本発明は、バックル本体と２つの第１ラッチ手段と２つの第２ラッチ手段とを含むバックルモジュールを提供してもよい。前記バックル本体は、上方に開放した２つの開口を有し、前記第１ラッチ手段が挿入される空洞部を有し、前記各第１ラッチ手段は、第１接合部を有し、前記各第２ラッチ手段は、前記第１接合部と着脱可能に係合される第２接合部を有する。前記第１接合部又は前記第２接合部における一方は、サイド開口を画成する係止溝を有する。そして、前記バックル本体が、２つの第１ラッチ手段及び２つの第２ラッチ手段と結合するとき、前記サイド開口と前記各開口とは異なる方向に開放されるように構成される。一例として、前記サイド開口と前記各開口とは、実質上互いに直交するように開放される。
【００１８】
前記バックルモジュールにおいて、前記第２接合部又は前記第１接合部の他方は、前記係止溝と嵌合される係止ブロックであり、該係止ブロックは、前記各第１ラッチ手段と前記各第２ラッチ手段とが前記バックル本体に結合されるとき、該係止ブロック同士が向かい合う端面を有し、前記各第２ラッチ手段が対応する第１ラッチ手段から外れることを防ぐように構成される。この構成によれば、前記各第２ラッチ手段を確実に前記各第１ラッチ手段に係合させることができる。
【００１９】
前記バックルモジュールにおいて、前記バックル本体は、円弧形外縁を有し、前記各第１ラッチ手段は、該円弧形外縁に沿った第１円弧状下縁を有するように構成されることが好ましい。この構成によれば、前記各第１ラッチ手段が前記バックル本体に係合されたとき、前記各第１ラッチ手段は、前記バックル本体の円弧状外縁と緊密に接合することができ、前記各第１ラッチ手段が組立てられたバックルモジュールをコンパクトに構成することができる。
【００２０】
前記バックルモジュールにおいて、前記各第１ラッチ手段は、円弧状上縁を有し、前記各第２ラッチ手段は、前記円弧状上縁に沿った第２円弧状下縁を有するように構成されることが好ましい。この構成によれば、前記各第２ラッチ手段が前記各第１ラッチ手段に係合されたとき、前記各第２ラッチ手段の円弧状下縁が、対応する前記第１ラッチ手段の円弧状上縁と緊密に接合することができ、前記第１ラッチ手段及び前記第２ラッチ手段が組立てられたバックルモジュールをコンパクトに構成することができる。
【発明の効果】
【００２１】
本発明のバックルモジュールによれば、第１ラッチ手段をバックル本体に係脱可能に係合することができ、第２ラッチ手段を第１ラッチ手段に係脱可能に係合することができるので、バックルモジュールの組立てを簡易に行うことができ、３点式拘束ベルトや、５点式拘束ベルトに応じて第１ラッチ手段のみ、又は、第１ラッチ手段及び第２ラッチ手段で組み立てることができる。また、第２ラッチ手段は、第１ラッチ手段のバックル本体への組立て又は分離に影響を与えることなく、バックル本体に係着又は分離することができ、使い勝手がよい。
【図面の簡単な説明】
【００２２】
【図１】本発明にかかるバックルモジュールの第１実施形態の一使用例を示す図である。
【図２】本発明にかかるバックルモジュールの第１実施形態を図１の右から左へ見た分解斜視図である。
【図３】本発明にかかるバックルモジュールの第１実施形態を図１の左から右へ見た分解斜視図である。
【図４】このバックルモジュールにおけるロック解除手段及び弾性部材の分解斜視図である。
【図５】図４のロック解除手段及び弾性部材の組立斜視図である。
【図６】図４のロック解除手段及び弾性部材が第２ハウジングに組立てられた状態を示す斜視図である。
【図７】図６のVII-VII線における断面図である。
【図８】このバックルモジュールにおける第１ラッチ手段を示す斜視図である。
【図９】この第１ラッチ手段がバックル本体に挿入されるときを示す側面図である。
【図１０】この第１ラッチ手段がバックル本体に挿入されて係止されたときを示す側面図である。
【図１１】この第１ラッチ手段がバックル本体との係止を解除するときを示す側面図である。
【図１２】本発明にかかるバックルモジュールの第２実施形態例における第２ラッチ手段を示す斜視図である。
【図１３】この第２ラッチ手段と第１ラッチ手段との組立状態を示す斜視図である。
【図１４】第２ラッチ手段と第１ラッチ手段とが組み立てられたバックルモジュールの使用例を示す図である。
【図１５】第１ラッチ手段と第２ラッチ手段との他の形態例を示す斜視図である。
【図１６】図１５の組立斜視図である。
【図１７】本発明にかかるバックルモジュールの第２実施形態の他の例を示す正面図である。
【図１８】図１７における第１ラッチ手段と第２ラッチ手段とを示す分解斜視図である。
【図１９】図１８の組立斜視図である。
【図２０】図１９の第１ラッチ手段と第２ラッチ手段とが組立てられたバックルモジュールを示す正面図である。
【図２１】本発明にかかるバックルモジュールの第３実施形態を示す分解斜視図である。
【図２２】図２１におけるロック解除手段と弾性部材とが組立てられた第２ハウジングの一部拡大斜視図である。
【発明を実施するための形態】
【００２３】
以下、本発明の実施形態を図面に基づいて説明する。添付図面は、本発明を説明し易くするために、例として提供したに過ぎず、本発明が制限されることを意図していないことは特に理解されるべきである。なお、同一構成及び機能を有する構成要素については、同一番号を付してその説明を省略する。
【００２４】
[第１実施形態]
図１は、本発明にかかるバックルモジュールの第１実施形態の一使用例を示す図、図２は、このバックルモジュールを図１の右から左へ見た分解斜視図、図３は、左から右へ見た分解斜視図、図４は、ロック解除手段及び弾性部材の分解斜視図、図５は、図４のロック解除手段及び弾性部材の組立斜視図、図６は、図４のロック解除手段及び弾性部材が第２ハウジングに組合わせられた状態を示す斜視図、図７は、図６のVII-VII線における断面図、図８は、第１ラッチ手段を示す斜視図、図９は、第１ラッチ手段がバックル本体に挿入されるときを示す側面図、図１０は、第１ラッチ手段がバックル本体に挿入されて係止されたときを示す側面図である。図１１は、第１ラッチ手段がバックル本体との係止を解除するときを示す側面図である。
【００２５】
図示のごとく、本発明にかかるバックルモジュール２００は、車両や、ベビーカー、ベビーチェアなどの幼児載置シートの、拘束ベルトを備えるシート１に適用されるものである。この形態においては、例えば１本の股ベルト１１と２本の腰ベルト１２、１２とからなる３点式拘束ベルト１０を連結するためのバックルモジュール２００について説明する。
このバックルモジュール２００は、股ベルト１１と連結するバックル本体２と、２本の腰ベルト１２、１２と連結し、バックル本体２と係脱可能に接合される２つの第１ラッチ手段３、３とを備えている。
【００２６】
図２及び図３に示されるように、バックル本体２は、第１ハウジング２１と、第２ハウジング２２と、ロック解除手段２３と、２つの弾性部材２４とを含む。第１ハウジング２１は、この例では、ロック解除手段２３寄りの裏面に、左右両側に一つずつ設けられた定位溝２１１、２１１と、取付孔２１２と、２つの定位溝２１１のそれぞれ下側にある２つの嵌入溝２１３とが形成されている。２つの嵌入溝２１３へは、股ベルト１１を連結する連結ピン２０が嵌入される。図１のように、例えば股ベルト１１が巻きつけられた連結ピン２０が嵌入溝２１３、２１３に嵌入されると、股ベルト１１がバックル本体２に取り付けられることになる。取付孔２１２の周囲の下部と連接して２つのリブ状の仕切り２１４、２１４が設けられている。第１ラッチ手段３、３がバックル本体２内に挿入されると、仕切り２１４、２１４は隔たって定位される。
【００２７】
ロック解除手段２３は、第１ハウジング２１と接合される接合ベース２３１と、接合ベース２３１の頂端から上向きにレバー状に延伸された弾性押圧アーム２３２とを有する。接合ベース２３１は、第１ハウジング２１側である裏面の両側のそれぞれに設けられた２つの定位ブラケット２３３と、前記各定位ブラケット２３３の上方の近くに設けられた２つの定位孔２３４と、第２ハウジング２２側である正面の両側のそれぞれに設けられた凸部２３７、２３７とを有する。この構成により、接合ベース２３１上の各定位ブラケット２３３が第１ハウジング２１の各定位溝２１１に嵌入されると、ロック解除手段２３が第１ハウジング２１に組み合わされ定位される。
【００２８】
図４、５、６及び７に示すように、各弾性部材２４は、例えば各第１ラッチ手段３によって押し付けられるものであって、水平状第１面部２４２と、第１面部２４２の後端を折り曲げて延伸した第２面部２４３とで略Ｖ字形に形成された金属製の板ばねである。
各定位ブラケット２３３は、上に向かって定位突起２３５が突き出ており、接合ベース２３１の左右両側部には、第１ハウジング２１側に定位フック２３６が突き出され、各定位フック２３６は、定位突起２３５に対向すると共に、各定位ブラケット２３３と所定の間隔をおいて、該定位ブラケット２３３に向かって折り曲げられている。第１面部２４２では、定位突起２３５に引掛けられる第１係止部２４４が、第２面部２４３との連結部位に近い奥部から下方に向かって突き出され、定位フック２３６を係止させる第２係止部２４５が、第１面部２４２の先端部から上方に向かって突き出されている。
【００２９】
このような構造により、図７に示されているように、各弾性部材２４の第１面部２４２が接合ベース２３１上の各定位孔２３４に挿入されると、第１係止部２４４が定位突起２３５に引掛けられ、第２係止部２４５が定位フック２３６の自由端部に係止されることにより、第１面部２４２は前後にずれることなく、確実に定位ブラケット２３３に定位させることができ、定位ブラケット２３３によって第１面部２４２を確実に保持することができる。第２面部２４３は、バックル本体２に挿入された第１ラッチ手段３によって押し付けられるように、接合ベース２３１の定位孔２３４の外へ延伸されており、バックル本体２に挿入された第１ラッチ手段３に第２面部２４３が押し付けられると、第１ラッチ手段３が上に跳び上がるような弾性復元力を持たせる。このような弾性部材２４がロック解除手段２３に組み合わされる。
【００３０】
図２、３及び図６に示されるように、第２ハウジング２２は、逆Ｕ字体の両脚に第１ハウジング２１の取付孔２１２に対応して嵌入させることができる２つの定位ロッド２２１、２２１と、ロック解除手段２３の凸部２３７に対応して設けられた２つの定位溝２２２、２２２とを有する。各定位ロッド２２１が各取付孔２１２内に、各凸部２３７が各定位溝２２２内に嵌入されることにより、第２ハウジング２２と第１ハウジング２１とがバックル本体２に組み合わされ、ロック解除手段２３の接合ベース２３１の左右両側部が第１ハウジング２１と第２ハウジング２２との間に定位される。
【００３１】
ロック解除手段２３には、さらに弾性押圧アーム２３２の両側に、同一平面に延伸する作動部２３８が突き出されており、作動部２３８には、弾性押圧アーム２３２が押されると、第２ハウジング２２の裏面に接触する接触片２３９が設けられている。
この形態において、第１ハウジング２１と、第２ハウジング２２と、ロック解除手段２３とで第１ラッチ手段３が挿入される空洞部２５が形成され、第１ハウジング２１と第２ハウジング２２とで外部と空洞部２５とが連通する２つの開口２６が画成されるようにフランジが突き出ている。このようにして、第１ラッチ手段３、３は対応する開口２６を経て空洞部２５に挿入することができる。
【００３２】
第２ハウジング２２には、第２ハウジング２２の裏面の両側にそれぞれ第１ラッチ手段３を係止させる係合部としてのタブ状ストッパー２２３、２２３が突き出されている。各ストッパー２２３は、一対の板片であり、所定の間隔をおいて第２ハウジング２２の裏面に直立しており、それぞれの上端部は、つばが突き出ており、それぞれのつばの端面が下後方にテーパー状に傾斜している。このようにして、バックル本体２に挿入された各第１ラッチ手段３が各ストッパー２２３のつばに引掛けられて、空洞部２５に留められる。
ロック解除手段２３の各作動部２３８には、さらに接触片２３９よりも厚肉なリブ２４０が同一平面から突き出ており、対応するストッパー２２３の一対の板片の間に嵌入され係止される。各リブ２４０は、上下に長手状に延伸している。なお、リブ２４０の上端は接触片２３９よりタブ状に突き出るようにすることが好ましい。
【００３３】
図２、３及び８に示されるように、各第１ラッチ手段３は、扁平状挿込体３１と、下端３２１が挿込体３１と接続され、上端３２０が第２ハウジング２２側に突き出されて自由端としての舌片部３２２となった、弾性を有するラッチ片３２と、挿込体３１の上縁部に取り付けられた円弧状接合体３３とから構成されている。なお、本実施形態においては、ラッチ片３２は、下端が挿込体３１と接続され、上端は第２ハウジング２２側に突き出されて形成されたが、弾性を持たせ、ストッパー２２３のつばに引掛けられるように構成すれば、この形状に限られないことは言うまでもない。接合体３３には、腰ベルト１２を取り付けるための、円弧形状のスロット３３１が形成されている。
また、バックル本体２の上端面には円弧形外縁２７が形成されている（図１参照）。各第１ラッチ手段３の接合体３３は、挿込体３１寄りの下端面に、円弧形外縁２７に対応して緊密に接合されるように円弧形状の第１外縁３３０が形成されている。
【００３４】
次に、本実施の形態のバックルモジュールの動作について説明する。
図１、２、９及び１０に示されるように、各第１ラッチ手段３、３を、開口２６を経て例えば図９中の矢印Ｉで示された方向に沿ってバックル本体２の空洞部２５内へ差し込むとき、ラッチ片３２の舌片部３２２は、バックル本体２のストッパー２２３のつばに接触しながら図９における矢印IIで示された方向に偏ると共に下端３２１と同一平面に押し付けられる。そしてさらに下方へ進むと、ラッチ片３２の舌片部３２２は、ストッパー２２３のつばから離れ、図１０にように、ラッチ片３２の弾性復元力により舌片部３２２が傾いてつばの下方のコーナーに定位される。ラッチ片３２が空洞部２５に定位されると、挿込体３１によって弾性部材２４の第２面部２４３が押し付けられて、圧縮状態に保たれる。
【００３５】
また、図１１に示されるように、弾性押圧アーム２３２が押し付けられると、各作動部２３８のリブ２４０がラッチ片３２の舌片部３２２を押し付ける。舌片部３２２が図１１中の矢印IIで示された方向にラッチ片３２の下端３２１と同一平面になるように押し付けられ、ラッチ片３２がつばの下方のコーナーから出ると、圧縮状態に保たれた弾性部材２４の第２面部２４３がその常位置に復帰する。弾性部材２４の第２面部２４３の復帰力によって、挿込体３１が弾き出され、第１ラッチ手段３がバックル本体２から出ることができる。
なお、リブ２４０の頂端が下端よりも接触片２３９より突き出たテーパー状に形成されているため、押圧アーム２３２が押されると、テーパー状のリブ２４０がラッチ片３２の舌片部３２２と接触し、直接、舌片部３２２を押すことになる。このように、係止の解除をする操作は、弾性押圧アーム２３２を軽く押し付けるだけで行うことができる。
【００３６】
第１ラッチ手段３、３がバックル本体２内に挿入係止されてなるバックルモジュール２００により、図１に示されるように、股ベルト１１と腰ベルト１２、１２からなる３点式拘束ベルト１０を連結することができると共に、子供の上半身が自由に動けるようにシート１に確実に子供を着座させることができる。
そして、図１のように、第１ハウジング２１と第２ハウジング２２とは共に円弧形外縁２７を画成し、各第１ラッチ手段３、３の接合体３３、３３は、円弧形外縁２７に対応して緊密に接合されるように円弧形状の第１外縁３３０が形成されているので、各第１ラッチ手段３、３がバックル本体２に挿入されて係着されると、全体が角の無い丸い曲線を描いたバックルモジュール２００となり、コンパクトになるので、見栄えがよい。
【００３７】
[第２実施形態]
【実施例１】
【００３８】
次に、本発明にかかるバックルモジュールの第２実施形態の一例について説明する。図８は、第１ラッチ手段を示す斜視図、図１２は、第２ラッチ手段を示す斜視図、図１３は、第２ラッチ手段と第１ラッチ手段との組立状態を示す斜視図、図１４は、第２ラッチ手段と第１ラッチ手段とが組み立てられたバックルモジュールの使用例を示す図、図１５は、第１ラッチ手段と第２ラッチ手段との他の形態例を示す斜視図、図１６は、図１５の組立斜視図である。図示の如く、この実施形態のバックルモジュール２００Ａは、各第１ラッチ手段３、３に脱着可能に係合される２つの第２ラッチ手段４、４をさらに備えている。
【００３９】
図８に示されるように、各第１ラッチ手段３の接合体３３は、第１接合部３３２を有する。図１２に示されるように、各第２ラッチ手段４は、丸みがついた接合ブロック４１と、接合ブロック４１の下方に形成された第２接合部４２とを有する。各第２ラッチ手段４は、第２接合部４２を介して対応する第１ラッチ手段３の第１接合部３３２と接合される。
この形態において、第１接合部３３２には、サイド開口３３３を画成する係止溝が形成され、第２接合部４２は、逆Ｔ字形に形成され、サイド開口３３３の形状と合った形状の係止ブロックを有する。よって、第２接合部４２を、サイド開口３３３を介して第１接合部３３２に嵌合したり、脱離させたりすることができる。このようにして、各第２ラッチ手段４を第１ラッチ手段３の接合体３３に組み込んだり、接合体３３から脱離させたりすることができる。
【００４０】
図１３及び図１４に示すように、各第２ラッチ手段４の接合ブロック４１には、扇状開口付通孔４１１が形成され、肩ベルト１３を装着することができる。
バックル本体２に第２ラッチ手段４を組合わせるとき、第２ラッチ手段４の第２接合部４２がサイド開口３３３を経て第１接合部３３２に嵌合され、図１３のように、第２ラッチ手段４が対応する第１ラッチ手段３の接合体３３に組合わせられ定位される。そして、第１ラッチ手段３が、図９のように、開口２６を経て空洞部２５内に挿入され、第２ラッチ手段４が組立てられた第１ラッチ手段３が図１０のように、バックル本体２に係着される。したがって、図１４に示されるように、股ベルト１１、腰ベルト１２、１２、肩ベルト１３、１３などの５点式拘束ベルト１０Ａを連結することができるバックルモジュール２００Ａは、より小さい子供をシート１に確実に着座させることができる。
【００４１】
そして、各第１ラッチ手段３の接合体３３は、円弧状上縁３３４を有し、各第２ラッチ手段４の接合ブロック４１は、円弧状上縁３３４に合わさる第２円弧状下縁４１２を有する。このようにすると、各第２ラッチ手段４が対応する第１ラッチ手段３に係合されたとき、各第２ラッチ手段４の接合ブロック４１が円弧状下縁４１２によって、対応する第１ラッチ手段３の円弧状上縁３３４に緊密に接合される。したがって、第１ラッチ手段３及び第２ラッチ手段４が組立てられたバックルモジュール２００Ａをコンパクトに構成することができる。
【００４２】
また、各第２ラッチ手段４は、対応する第１ラッチ手段３とバックル本体２に結合されたとき、第２ラッチ手段４同士が互いに対向して接触する端面４３を有する。また、第１ラッチ手段３、３がバックル本体２に組合わせられたとき、第１ラッチ手段３、３のサイド開口３３３とバックル本体２の各開口２６とが、例えば互いに直交するように、異なる方向に開放され、第２ラッチ手段４同士が緊密に接することができるので、各第２ラッチ手段４は対応する第１ラッチ手段３から脱離することなく、第２ラッチ手段４を緊密に第１ラッチ手段３に組合わせることができる。
【００４３】
なお、第２接合部４２と突起４４の形状とサイド開口３３３Ａの形状は互いに合うように構成されていればよく、例えば図１５及び図１６に示されるように、第１ラッチ手段３の第１接合部３３２のサイド開口３３３Ａは上下開放されており、第２ラッチ手段４の第２接合部４２の下面に突起４４が設けられているような構成であってもよい。このように第２接合部４２と突起４４とがサイド開口３３３Ａを経て第１接合部３３２に嵌合されるとき、突起４４が第１ラッチ手段３の接合体３３の下部と係着されるので、接合体３３と接触する面積が広くなり、第２接合部４２と接合体３３との接合強度を高めることができる。
【実施例２】
【００４４】
図１７〜２０は、本発明にかかるバックルモジュールの第２実施形態の他の例を示し、図１７は、第１ラッチ手段３が係着されたバックルモジュール２１０の組立正面図、図１８は第１ラッチ手段３と第２ラッチ手段４とを示す斜視図、図１９は、図１８の組立斜視図、図２０は、第１ラッチ手段３と第２ラッチ手段４とが組立てられたバックルモジュール２１０の正面図である。なお、この形態のバックルモジュール２１０は、前記形態のバックルモジュール２００とほぼ同じ構成であり、第１ラッチ手段３の第１接合部３３２Ａ及び第２ラッチ手段４の第２接合部４２Ａの構成が異なる。
【００４５】
この例においては、第１接合部３３２ＡがＴ字形をした係止ブロックであり、第２接合部４２Ａがサイド開口４２１付き係止溝である。第１ラッチ手段３の第１接合部３３２Ａは、サイド開口４２１を経て第２接合部４２Ａに嵌合、または、脱離される。各第２ラッチ部材４が対応する第１ラッチ手段３に組合わせられ、第１ラッチ手段３とバックル本体２とが係合されたとき、第２ラッチ手段４同士の端面４３、４３が図２０のように、緊密に接触することができる。このようにして、第２ラッチ手段４が第１ラッチ手段３から勝手に離れることを防ぐことができ、第２ラッチ手段４を確実に第１ラッチ手段３に係合させることができる。
【００４６】
[第３実施形態]
次に、本発明にかかるバックルモジュールの第３実施形態の一例について説明する。図２１は、バックルモジュール２２０を示す分解斜視図、図２２は、弾性部材２４Ａが第２ハウジング２２に装着されたときの一部斜視図である。なお、この形態のバックルモジュール２２０は、前記形態のバックルモジュールとほぼ同じ構成であり、弾性部材２４Ａの構成が異なる。
弾性部材２４Ａは、第１ラッチ手段３に押し付けられる金属製の板ばねであり、左右方向に長手に伸びるベース面部２４１と、該ベース面部２４１の両端から第２ハウジング２２側に直角に突き出ている第１面部２４２と、第１面部２４２から折り曲って第１ハウジング２１側に伸びる第２面部２４３とからなっている。第１面部２４２は接合ベース２３１の定位孔２３４を貫通して定位ブラケット２３３に接触する。第２面部２４３は接合ベース２３１の上面側に係止されており、第１ラッチ手段３によって押し付けられ圧縮されると、第１ラッチ手段３を弾き出す付勢力を持つ。
【００４７】
以上のように、上記実施形態によるバックルモジュール２００、２１０、２２０は、第１ラッチ手段３を脱着可能にバックル本体２に接合させることができ、第２ラッチ手段４を脱着可能に第１ラッチ手段３と組合わせることができるので、簡単に組立てたりばらばらにしたりすることができ、３点式拘束ベルト１０や５点式拘束ベルト１０Ａに適用するのに応じて、第１ラッチ手段３、第２ラッチ手段４を組合わせることができる。また、第２ラッチ手段４の有無に関係なく、第１ラッチ手段３をバックル本体２に装着、または、脱離させることができるので、使い勝手がよい。
【符号の説明】
【００４８】
１  シート
１１  股ベルト
１２  腰ベルト
１３  肩ベルト
１０、１０Ａ  拘束ベルト
２００、２００Ａ、２１０、２２０  バックルモジュール
２  バックル本体
２０  連結ピン
２１  第１ハウジング
２１１  定位溝
２１２  取付孔
２１３  嵌入溝
２１４  仕切り
２２  第２ハウジング
２２１  定位ロッド
２２２  定位溝
２２３  ストッパー（係合部）
２３  ロック解除手段
２３１  接合ベース
２３２  弾性押圧アーム
２３３  定位ブラケット
２３４  定位孔
２３５  定位突起
２３６  定位フック
２３７  凸部
２３８  作動部
２３９  接触片
２４０  リブ
２４  弾性部材
２４１  ベース面部
２４２  第１面部
２４３  第２面部
２４４  第１係止部
２４５  第２係止部
２４Ａ  弾性部材
２５  空洞部
２６  開口
２７  外縁
３  第１ラッチ手段
３１  挿込体
３２  ラッチ片
３２０  上端
３２１  下端
３２２  舌片部
３３  接合体
３３０  第１外縁
３３１  スロット
３３２、３３２Ａ  第１接合部
３３３、３３３Ａ  サイド開口
３３４  上縁
４  第２ラッチ手段
４１  接合ブロック
４１１  通孔
４１２  下縁
４２、４２Ａ  第２接合部
４２１  サイド開口
４３  端面
４４  突起
【図１】
2010179103.tif 000003
【図２】
2010179103.tif 000004
【図３】
2010179103.tif 000005
【図４】
2010179103.tif 000006
【図５】
2010179103.tif 000007
【図６】
2010179103.tif 000008
【図７】
2010179103.tif 000009
【図８】
2010179103.tif 000010
【図９】
2010179103.tif 000011
【図１０】
2010179103.tif 000012
【図１１】
2010179103.tif 000013
【図１２】
2010179103.tif 000014
【図１３】
2010179103.tif 000015
【図１４】
2010179103.tif 000016
【図１５】
2010179103.tif 000017
【図１６】
2010179103.tif 000018
【図１７】
2010179103.tif 000019
【図１８】
2010179103.tif 000020
【図１９】
2010179103.tif 000021
【図２０】
2010179103.tif 000022
【図２１】
2010179103.tif 000023
【図２２】
2010179103.tif 000024